(57)【要約】【課題】パソコン等に不慣れなユーザでも簡単操作が可能で、且つインターネット上の情報をプッシュ型で得ることが可能なシステムを提供する。【解決手段】コンテンツの収集、配信等の運用管理３によって管理されるコンテンツ群をポータルサイト運用管理者サーバ４により配信時刻及びコンテンツにアクセスするＵＲＬ等をリスト化した配信スケジュールを作成する。プッシュ型情報端末装置８及びプル型情報端末装置９は、所定の間隔（例えば３０秒毎）に、配信スケジュールが更新されていないかを判別し、更新されている場合はこれを自装置に蓄積する。各装置は蓄積した配信スケジュールに基づいてコンテンツにアクセスすることで、ユーザからは恰もプッシュ型によってコンテンツが配信されることとなる。【選択図】図９
2008186202.tif 000002
【特許請求の範囲】
【請求項１】
インターネットに接続された情報受信表示端末に対して、インターネット上に蓄積された情報を送信する情報伝達システムであって、インターネット上での情報提供者が自らの意図に従って作成したプッシュ型情報伝達スケジュールを放送タイムスケジュールとして複数のＵＲＬが記述されたリストを情報受信表示端末に対して予め送信しておき、該情報受信表示端末においては、受信した放送タイムスケジュールに従ってインターネット上の情報にアクセスして、当該インターネット上のＵＲＬで提供される情報を順次表示することによって、恰もインターネット上の情報をプッシュ型で情報受信表示端末に表示することを特徴としたプッシュ型でインターネット情報を送信する情報伝達システム。
【請求項２】
請求項１記載の情報伝達システムにおいて、前記情報受信表示端末においては、前記受信した放送タイムスケジュールに従ってインターネット上の情報にアクセスして当該インターネット上のＵＲＬで提供される情報を一旦蓄積しておき、以降はその蓄積情報に基づいて、恰もインターネット上の情報をプッシュ型で情報受信表示端末に表示することを特徴としたプッシュ型でインターネット情報を送信する情報伝達システム。
【請求項３】
請求項２記載の情報伝達システムにおいて、前記情報受信表示端末は定期的に前記情報提供者に対して定期的に或いは電源立ち上げ時にアクセスして当該情報提供者のインターネット上で提供される情報が更新されているか否かを確認し、更新されていなければ前回取り込んだ前記受信した放送タイムスケジュールに従って情報を前記情報受信表示端末に表示し、更新されている場合には再度インターネット上の情報にアクセスして当該インターネット上のＵＲＬで提供される情報を一旦蓄積しておき、以降はその蓄積情報に基づいて、恰もインターネット上の情報をプッシュ型で情報受信表示端末に表示することを特徴としたプッシュ型でインターネット情報を送信する情報伝達システム。
【請求項４】
インターネットに接続された情報受信表示端末に対して、インターネット上に蓄積された情報を送受信する情報伝達システムであって、インターネット上での情報提供者が自らの意図に従って作成したプッシュ型の情報伝達階層構造を放送階層構造として複数のＵＲＬが階層的に記述されたリストを情報受信表示端末に対して予め送信しておき、該情報受信表示端末においては受信した放送階層構造に従ってインターネット上の情報にアクセスして、当該インターネット上のＵＲＬで提供される情報を取り込み、当該情報受信表示端末が備えたリモコンのチャンネル対応の数値（例えば、「１」乃至「１２」）に対応させて階層構造を形成しておき、以降は前記リモコンの指示に従って指示された階層の情報を逐次表示することによって、プッシュ型でありながら、恰もインターネット上の情報をプル型で情報受信表示端末に表示することを特徴としたプッシュ−プル型でインターネット情報を送受信する情報伝達システム。
【発明の詳細な説明】
【技術分野】
【０００１】
本発明は、インターネット上に公開されている情報を選択してプッシュ型で情報伝達するシステムにおいて利用されるプッシュ型情報受信装置及びそのシステムに関し、特に、特定のインターネット情報提供者（ポータルサイトの運営者等）が自ら提供する情報を、情報提供者等の意図に応じて作成されたタイムスケジュールに応じて、自らが作成・公開しているインターネット上の情報をプッシュ型で伝達するシステム及びそれに用いるプッシュ型情報受信装置に関する。
【背景技術】
【０００２】
今日は、ユビキタスネット社会を迎えており、人は「いつでも」「どこでも」コンピュータを利用した機器と向かい合う機会が当たり前のことになってきた。しかしながら、「だれでも」が使えるコンピュータシステム機器開発への取り組みはまだまだ不十分であると言わざるを得ない。例えば、パソコンや携帯電話はいまだもってお年寄りには取り扱いがむずかしく、「だれでも」が使える家電品のレベルにはなり得ていない。しかし、最近ではシンプルな機能でお年寄りをターゲットとした携帯電話が発売され話題を呼んでおり、今、パソコンにもそれが期待されている。
【０００３】
そこで発明者等は、パソコンを「だれでも」が簡単に使えないという原因が何処にあるのか、パソコンの操作を簡単にするには何が必要なのかを考えた。その答えは、パソコンは使えない人がいるが、テレビを使えない人はいないということに尽きる。つまり、パソコン操作技術の習得を困難にしている最大の原因がマウスとキーボードの操作に依存していること、そして解決策としては「だれでも」が日常生活で何気なく使っている一番の簡単操作ツールであるテレビのリモコンの活用であるという結論に行き着いた。確かに、テレビのリモコンであればシンプルで「だれでも」が扱える簡単操作ツールである。
【０００４】
この種の現状の製品は、以下のような問題点を有している。
（１）依然として汎用パソコンの使用を前提としており、パソコンの操作方法を習得していない中高齢者層のユーザにとっては利用するのが難しいマウス／キーボード操作に起因する問題点を有している。
（２）また、タッチパネルを利用した類似のシステムではリモコンのような遠隔操作が出来ないため、ユーザにとっては装置近傍に行っての操作が不可欠になるため、リモコン操作方式に比べると、依然使い勝手の面での課題が残されている。
（３）汎用パソコンを利用したシステムは、冷却用ファンやハードデイスク等を備えるために回転騒音の発生や機器の発熱量（平均的には１５０Ｗ）が大きいため、設置場所は限定され、導入台数規模も少ない。
【０００５】
現在、インターネットテレビ等と呼ばれているハイテク製品の開発潮流を見るに、パソコンにテレビ機能を付加し、パソコン操作でテレビも見られるようにすることが主流となっているように思える。しかし、本発明は、逆転の発想でテレビにパソコン機能を付加し、テレビを視聴する感覚でインターネットの閲覧操作が可能なように、テレビ／パソコン共用の端末装置をリモコンのみで行える簡単操作システムとするため独自のリモコンの開発、テレビにインターネット閲覧機能を付加するための超小型専用パソコン機器の開発及び、リモコンの操作に対応して指定された情報の提供を行うポータルサイトの開発を基礎とするものである。
【０００６】
しかしながら、２００５年度には成人の５０％以上が５０歳代を超え、まさに高齢化社会が始まっているといっても過言ではない。この市場をターゲットとし、誰でもが簡単に、安心して使えるユニバーサルデザインのユーザインターフェイスを取り入れた簡単操作のインターネット活用のＩＣＴソリューションシステムの開発・販売が必須となってきている（「アイシーティソリューションズ」は登録商標）。本発明者等は、本発明によって、これからの高齢化社会でのＩＣＴ利用技術の普及に貢献できるものと考えている。
【０００７】
非特許文献１及び非特許文献２には、リモコン操作によりテンキーに対応したインターネット上のＵＲＬにアクセスできる技術が提案されている。
【０００８】
【特許文献１】http://www.sharp.co.jp/i-aquos/products/ax100m/main2.html
【特許文献２】http://www.tnavi.net/
【発明の開示】
【発明が解決しようとする課題】
【０００９】
本発明は、インターネット経由で提供されている多量の情報を選択して、簡単で低コストな方式により広く情報の伝達が可能となる端末装置及びそのシステムを実現するものである。これにより、情報弱者と称されているパソコンの操作に不慣れな人でも、テレビの視聴と同じ操作手順で、タイムリーに各種情報を入手出来る斬新な情報発信・受信システムの提供を実現するものである。
【００１０】
これにより、高齢者でも簡単に利用できる情報提供インフラの導入が可能になり、地域コミュニティ社会の弱体化の防止と課題解決への支援となる。そのためには、福祉・介護・医療機関でのインフラ構築や、防災、公共サービス機関等での各種情報提供インフラとしての仕組み作りが必須である。また、高齢層市民の増大によっても、行政機関と地域コミュニティ間でのタイムリーな情報伝達とアンケートの集約等の意見収集システムの実現が必要となる。
【００１１】
また、本発明は、安価でムダがなく、簡単操作の実現手段であることが必須である。それには、インターネット経由で既存の各種情報を有効利用して、（１）プッシュ型で情報提供するシステムと、（２）ＴＶリモコン操作によるプル型の情報提供するサービスが必要となるものである。本発明において、「プッシュ型の情報提供システム」とは、現状のテレビ放送（ブロードキャスト）や新聞・雑誌に代表される媒体（多くは紙媒体）を用いたマスコミ等のように情報提供者が情報を選択して伝えるシステムを言い、「プル型の情報提供システム」とは、インターネットに代表されるように、情報を得ようとする側が自らの意思によって情報を検索（取捨・選択）して情報にアクセスするシステムを言う。ｈｔｍｌ形式でインターネットの世界で情報を伝達しようとする場合には、ファイアーウォールの関係もあり、基本的には情報を取り込む側からの指示があって情報を受けられるものが中心であり、上記定義に従えば「プル型の情報提供システム」である。それであるにも拘わらず、インターネットの世界で、恰も、「プッシュ型の情報提供システム」を実現しようとするものである。
【００１２】
本発明は、情報量としてはプッシュ型で供給される情報（例えば新聞などの紙媒体によってもたらされる情報）の何十倍・何百倍或いはそれ以上の情報量を有したインターネット情報を使って、プッシュ型とプル型の情報提供システムの両方を実現させようとするものである。具体的には、「プッシュ型の情報提供システム」としては、既に公知となっている電子看板を用いてインターネット情報を発信し、加えて、テロップ情報、コミュニティ参画への呼びかけ、緊急情報等を提供するものであり、「プル型の情報提供システム」は、リモコンのみの簡単操作によるにも拘らず、各種関連情報を幅広く且つ奥深い情報取得端末を提供するものである。例えば、使用の一例として、「プッシュ型の情報提供システム」は地方自治体の情勢情報の概要のＰＲとして、人の多く集まるところに設置し、「プル型の情報提供システム」は、その近傍に設置して個人がより詳細な情報にアクセスできるように構成することができる。
【課題を解決するための手段】
【００１３】
本発明のプッシュ型でインターネット情報を送信する情報伝達システムは、インターネットに接続された情報受信表示端末に対して、インターネット上に蓄積された情報を送信する情報伝達システムであって、インターネット上での情報提供者が自らの意図に従って作成したプッシュ型情報伝達スケジュールを放送タイムスケジュールとして複数のＵＲＬが記述されたリストを情報受信表示端末に対して予め送信しておき、該情報受信表示端末においては、受信した放送タイムスケジュールに従ってインターネット上の情報にアクセスして、当該インターネット上のＵＲＬで提供される情報を順次表示することによって、恰もインターネット上の情報をプッシュ型で情報受信表示端末に表示することを特徴とする。
【００１４】
本発明のプッシュ型でインターネット情報を送信する情報伝達システムは、前記情報受信表示端末においては、前記受信した放送タイムスケジュールに従ってインターネット上の情報にアクセスして当該インターネット上のＵＲＬで提供される情報を一旦蓄積しておき、以降はその蓄積情報に基づいて、恰もインターネット上の情報をプッシュ型で情報受信表示端末に表示することを特徴とする。
【００１５】
本発明のプッシュ型でインターネット情報を送信する情報伝達システムは、前記情報受信表示端末は定期的に前記情報提供者に対して定期的に或いは電源立ち上げ時にアクセスして当該情報提供者のインターネット上で提供される情報が更新されているか否かを確認し、更新されていなければ前回取り込んだ前記受信した放送タイムスケジュールに従って情報を前記情報受信表示端末に表示し、更新されている場合には再度インターネット上の情報にアクセスして当該インターネット上のＵＲＬで提供される情報を一旦蓄積しておき、以降はその蓄積情報に基づいて、恰もインターネット上の情報をプッシュ型で情報受信表示端末に表示することを特徴とする。
【００１６】
本発明のプッシュ−プル型でインターネット情報を送受信する情報伝達システムは、インターネットに接続された情報受信表示端末に対して、インターネット上に蓄積された情報を送受信する情報伝達システムであって、インターネット上での情報提供者が自らの意図に従って作成したプッシュ型の情報伝達階層構造を放送階層構造として複数のＵＲＬが階層的に記述されたリストを情報受信表示端末に対して予め送信しておき、該情報受信表示端末においては受信した放送階層構造に従ってインターネット上の情報にアクセスして、当該インターネット上のＵＲＬで提供される情報を取り込み、当該情報受信表示端末が備えたリモコンのチャンネル対応の数値（例えば、「１」乃至「１２」）に対応させて階層構造を形成しておき、以降は前記リモコンの指示に従って指示された階層の情報を逐次表示することによって、プッシュ型でありながら、恰もインターネット上の情報をプル型で情報受信表示端末に表示することを特徴とする。
【発明の効果】
【００１７】
本発明を採用することにより、高齢者でも簡単に利用できる情報提供システム及び情報提供装置が提供できるものであり、誰でも簡単に利用できる情報提供インフラの導入による地域コミュニティ社会の弱体化防止・課題解決への支援ができるものである。
これにより、高齢層市民の増大によっても、行政機関と地域コミュニティ間でのタイムリーな情報伝達と意見収集（アンケート等）の実現が可能となる。また、福祉・介護・医療機関でのインフラ構築、防災、公共サービス機関等での各種情報提供インフラとしての仕組み作りも可能となる。
【００１８】
本発明は、インターネット上で既に備えられている情報コンテンツを有効に利用し、恰もプッシュ型で提供することができるために、安価でムダがなく、簡単操作の実現手段を提供することができる。
そのためにインターネット経由で既存の各種情報を有効利用してプッシュ型で提供するように、電子看板を用いてインターネット情報を概要ＰＲとして発信し、更にテロップ情報、コミュニティ参画への呼びかけ、緊急情報等も提供できる。
さらに、ＴＶリモコン操作によるプル型の情報サービスの提供することにより、簡単操作方式により情報取得端末を導入し、各種関連情報を幅広く提供できる。
【発明を実施するための最良の形態】
【００１９】
本発明の具体的実施例の構成図を図１に示す。本発明の実施例においては、インターネット等の公衆網１に自治体や企業等の企業内ＬＡＮ等の施設／店舗等のネットワーク網が接続されており（いわゆる一般的なホームページを提供するものであり、特に図示しない）、さらに、公衆網１には本発明にかかるポータルサイト運用管理者サーバ４のシステムが接続されている。ポータルサイト運用管理者サーバ４は、インターネットを介した擬似的なプッシュ型の情報配信を可能とさせるための機能を担うものであり、図９にポータルサイト運用管理者サーバ４の構成の一例を示した。図９に示されるように、ポータルサイト運用管理者サーバ４は、以下で説明するプッシュ型配信において、情報を配信する配信先（各プッシュ型情報端末装置８）を管理するコンテンツ配布管理サーバ機能と、循環表示させるためのタイムスケジュールを管理するコンテンツ表示スケジュール管理サーバ機能と、配信する情報を管理する（必ずしもコンテンツそのものを管理する必要はない）データベース管理サーバ機能と、などを備えることで、何処へ・何時・何を配信するのかを制御し得るものである。
【００２０】
企業にしても地方自治体にしても、自らのポータルの運営、或いは、特にそこで使用されるコンテンツは外部機関に委託して作成する場合が多い。図１においてはコンテンツ作成元６がそれに当たる。ポータルサイト運用管理者サーバ４は、コンテンツの収集（以下の説明から明らかなように、コンテンツそのものを収集する必要は必ずしもない。）、配信等の運用管理（スケジューリングなど）を行う。
【００２１】
本発明においては、インターネット情報を使ったプッシュ型の情報端末装置８とプル型の情報端末装置９（リモコン付き）が公衆網１に接続されている。
【００２２】
インターネットで特定のポータルサイトが情報を提供する場合には、一般的には情報を階層的に分類して提供しており、そのサイトの階層毎の分類構成が一目で理解できるようにサイトマップを設けていることが多い。
そこで、本発明は、このサイトマップを利用して、インターネット情報を使ったプッシュ型の情報端末装置８とプル型の情報端末装置９（リモコン付き）を実現することを可能にし、リモコン対応の情報検索ができるように構成するものである。
【００２３】
例えば、サイトマップの構成が以下のようであるとする。もちろん、実際のサイトマップを開いたとしても、画面には対応のＵＲＬは表示されてはいないが、カーソルを持っていきクリックすることにより、アドレスバーの位置に当該対応ＵＲＬが表示される。
Ａ（対応ＵＲＬ：http://www.abc.com/aaa）
→ａ１（対応ＵＲＬ：http://www.abc.com/aaa/a1）
→ａ２（対応ＵＲＬ：http://www.abc.com/aaa/a2）
Ｂ（対応ＵＲＬ：http://www.abc.com/bbb）
→ｂ１（対応ＵＲＬ：http://www.abc.com/bbb/b1）
→ｂ２（対応ＵＲＬ：http://www.abc.com/
bbb/b2）
→ｂ３（対応ＵＲＬ：http://www.abc.com/
bbb/b3）
Ｃ（対応ＵＲＬ：http://www.abc.com/ccc）
→ｃ１（対応ＵＲＬ：http://www.abc.com/ccc/c1）
→ｃ２（対応ＵＲＬ：http://www.abc.com/ccc/c2）
→ｃ３（対応ＵＲＬ：http://www.abc.com/ccc/c3）
→ｃ４（対応ＵＲＬ：http://www.abc.com/ccc/c4）
【００２４】
以上のようなサイトマップの構成である場合に、本発明のプッシュ型の情報伝達システムにおいては、サイトマップの第一階層のＡＢＣを循環式に表示するように構成している。つまり、第一階層Ａの情報を表示するべく、対応ＵＲＬ：http://www.abc.com/aaaを参酌して表示を行い、次いで、２番目の第一階層Ｂの情報を表示するべく、対応ＵＲＬ：http://www.abc.com/bbbを参酌して表示を行い、次いで、２番目の第一階層Ｃの情報を表示するべく、対応ＵＲＬ：http://www.abc.com/cccを参酌して表示を行い、順次Ａ→Ｂ→Ｃ→Ａ→Ｂ→Ｃ→の表示を循環させるように構成している。これを実現するために、図２で示したようなプッシュ型情報伝達用のスケジュール表を作成する。
このスケジュールは、“プッシュ型情報伝達のスケジュール”が示す時間情報（同図ではｔ１〜ｔ３）に従って、各ＵＲＬにアクセスさせて各情報を循環表示させるものである。なお、当該スケジュール表を各端末（プッシュ型情報端末装置８）と対応付けて作成することにより（各端末ＩＤと対応付けて各スケジュール表を保持するなど）、各端末ごとに異なる循環表示動作を可能とするようにしてもよい。スケジューリングはスケジュール表の設定により自由にすることができ、例えば、Ａ→ａ１→Ｂ→ｂ２→Ｃ→ｃ１→ｃ３→を循環させるようにする場合は、それに対応したスケジュール表を作成する必要がある。（本実施例においては、図９で示した“コンテンツ配布管理サーバ機能”・“コンテンツ表示スケジュール管理サーバ機能”・“データベース管理サーバ機能”は、上記したスケジュール表に基づいて動作するものとなる。）
【００２５】
ここで、本発明の理解をより深めるために、具体的に出願人である株式会社ＩＣＴソリューションズのインターネット上の実際のホームページを例にとって説明する。出願日現在の株式会社ＩＣＴソリューションズのサイトマップは、図３のとおりである。そして、このサイトマップを表にしてみると、図４のとおりである。従って、本発明のプッシュ型情報伝達用のスケジュール表は図４に示したＵＲＬを順次取り込んできて作成することとなる。
【００２６】
企業や地方自治体のホームページにはサイトマップを備えていないものもある。その場合には、プッシュ型情報伝達スケジュールをどのように作成するかが問題となるが、一つの方法としては、インターネット上に提供されている情報のアドレスを指示するＵＲＬを取り込んできて放送タイムスケジュールを作成すれば良い。さらに他の方法としては、ＵＲＬアドレスは、「www.」の後に企業名等が入り、「co.jp」等が来るのが一般的で、その下位概念としては「co.jp」の後に「/」が入り、下位の概念のＵＲＬが展開されているのが普通である。そこで、一旦、当該サイトのＵＲＬアドレスを全て取り込み、階層化して並べなおして表を作り、その表に従って、放送タイムスケジュールとして複数のＵＲＬが記述されたリストを作成することができる。その手順を図５に示す。この手法によりプッシュ型情報伝達用のスケジュール表が作成されれば、それに従ったリストを情報受信表示端末に対して予め送信しておき、該情報受信表示端末においては受信した放送タイムスケジュールに従ってインターネット上の情報にアクセスして、当該インターネット上のＵＲＬで提供される情報を順次表示することによって、恰もインターネット上の情報をプッシュ型で情報受信表示端末に表示することが可能である。
【００２７】
プッシュ型でのスケジューリングは、リストに組み込むＵＲＬアドレスに含まれるインターネット上の情報が受信端末装置の画面上に表示される。そのスケジュールは  画面１（第一階層番組Ａ）→画面２（第一階層番組Ｂ）→画面３（第一階層番組Ｃ）等で構成され、インターネット上のサイトには、それぞれのＵＲＬアドレスが番組構成の順で記載されている。情報受信端末装置は、インターネット上のサイトにアクセスして、画面１（第一階層番組Ａ）→画面２（第一階層番組Ｂ）→画面３（第一階層番組Ｃ）で構成された番組構成（ＵＲＬ含み）を定期的に或いは電源立ち上げ時に受信して、その中に記載されたＵＲＬに従って情報を取り込み、恰もプッシュ型であるようにしてインターネット情報を受信することができる。つまり、端末（プッシュ型情報端末装置８）は、一定の周期ごと（例えば３０秒毎）にポータルサイト運用管理者サーバ４に問合せをして、スケジュール表に変更があったか否か等の確認をし、変更があった場合には、必要に応じてコンテンツやスケジュール情報の取得・更新処理を行う。これにより、放送スケジュール（静的なスケジュールだけでなく、逐一変化する動的なスケジューリングとすることも可能）に従ったテレビ放送のような情報伝達を可能とする。
【００２８】
プル型の情報伝達システムにおいては、サイトマップにおいて、インターネット上での情報提供者が自らの意図に従って作成したプッシュ型の情報伝達階層構造を放送階層構造として複数のＵＲＬが階層的に記述されたリストを情報受信表示端末に対して予め用意しておき、情報受信表示端末においては受信した放送階層構造に従ってインターネット上の情報にアクセスして、当該インターネット上のＵＲＬで提供される階層構造情報を取り込み、当該情報受信表示端末が備えたリモコンのチャンネル対応の数値（例えば、「１」乃至「１２」）に対応させて階層構造を形成しておき、以降は前記リモコンの指示に従って指示された階層の情報を逐次表示することによって、プッシュ型でありながら、恰もインターネット上の情報をプル型で情報受信表示端末に表示することを可能としている。
【００２９】
以上のような情報伝達システムにおいては、プッシュ型の情報伝達システムにおいては、概要放送として第一階層の番組放送（例：Ａ→Ｂ→Ｃ）を行い、プル型の情報伝達システムにおいては、詳細放送として、リモコン指示（チャンネルボタンの押下）により次の階層の選択された画面を表示するように構成する。
【００３０】
ところで、インターネットで提供されている情報はディスプレイの画面単位で提供されているものではなく、長い紙を巻いたような形式の巻紙方式と、大きな紙面をディスプレイに表示される大きさの小さなウインドウから見る形式の論理ページ方式とが一般的である。しかしながら、人間は長く紙を媒体にした世界で暮らしており、新聞にしても雑誌にしても１ページという有限の広さを持つページを単位として情報表示をされるのに慣れている。つまり、Ｖｉｅｗ  ｂｙ  Ｐａｐｅｒ方式が人間には、特に高齢者には、優しい表示方式と言える。
【００３１】
しかしながら、このような巻紙方式や論理ページ方式で作られた情報をＶｉｅｗ  ｂｙ  Ｐａｐｅｒ方式で表示しようとした場合には、Ｐａｐｅｒ  Ｖｉｅｗの端部に一つの纏まった情報がかかってしまい、一つの情報が二つの画面に分割されてしまうことがある。そのために考え出された本発明での実施例は以下のとおりである。
【００３２】
そのために、本発明においては、上記した場合には、二つのページに分割された情報の頭（情報のスタート部分）を探し出し、それを次ページの最初として表示することを考えた。情報には、多くは画像情報或いは文字データ情報から構成されている。そのように構成された画面の表示において、一つの纏まりのある情報が二つのページに分割された情報の有無を調べ、二つのページに分割された情報（文字情報或いは画像情報）の頭を探し出し、その頭が表示されている部分を次のページの上端部として表示を行う。具体例としてその概念を図６として示す。図６では文字情報が二つの画面に分割された場合を示しているが、画像データの場合でも同じ考え方で実現可能である。
【００３３】
図７及び図８は、本発明のプル型の情報伝達システムに適用する際の、インターネット側のサイト構成とそれに用いられる情報受信端末（プル型）での画面表示構成を示すものである。
【図面の簡単な説明】
【００３４】
【図１】本発明のシステム構成を示す概念図である。
【図２】同上、プッシュ型情報伝達のスケジュールを示す表である。
【図３】同上、サイトマップの一例を示す説明図である。
【図４】同上、図３に示すサイトマップを階層に分類した表である。
【図５】同上、階層化した表からプッシュ型情報伝達用ＵＲＬリストである。
【図６】同上、サイト表示の際に１ページで表示しきれないＷＥＢページを、Ｖｉｅｗ  ｂｙ  Ｐａｐｅｒ化した際の画面分割例を示す説明図である。
【図７】同上、プル型の情報伝達システムに適用する際のインターネット側のサイト構成を示す説明図である。
【図８】同上、プル型の情報伝達システムに適用する際の情報受信端末での画面表示構成を示す説明図である。
【図９】主にポータルサイト運用管理者のシステム構成の一例を示す概念図である。
【符号の説明】
【００３５】
１  公衆網
３  コンテンツの収集、配信等の運用管理
４  ポータルサイト運用管理者サーバ
６  コンテンツ作成元
８  プッシュ型情報端末装置
９  プル型情報端末装置
【図１】
2008186202.tif 000003
【図２】
2008186202.tif 000004
【図３】
2008186202.tif 000005
【図４】
2008186202.tif 000006
【図５】
2008186202.tif 000007
【図６】
2008186202.tif 000008
【図７】
2008186202.tif 000009
【図８】
2008186202.tif 000010
【図９】
2008186202.tif 000011